(57)【要約】【課題】電線が分岐する位置及び数の変更に対する自由度が高いプロテクタ及びワイヤーハーネスを提供する。【解決手段】電線を保護するためのプロテクタは、奥壁部と、一対の側壁部と、を備えている。ここで、一対の側壁部は、奥壁部に立設するように形成されており、且つ互いに対向しており、奥壁部の延在方向に延在している。また、一対の側壁部が、奥壁部から離間した位置で、直接又は他の部材を介して、環状の凸部と環状の凹部とが交互に配された１以上の管状部材を、挟持することが可能である。そして、一対の側壁部の少なくとも一方の側壁部が、一対の側壁部によって直接又は他の部材を介して挟持される１以上の管状部材を、延在方向に沿って摺動可能に支持することが可能な支持部、を有している。【選択図】図１
2017195660.tif 000002
【特許請求の範囲】
【請求項１】
電線を保護するためのプロテクタであって、
奥壁部と、
前記奥壁部に立設するように形成されており、且つ互いに対向しており、前記奥壁部の延在方向に延在している一対の側壁部と、を備え、
前記一対の側壁部が、
前記奥壁部から離間した位置で、直接又は他の部材を介して、環状の凸部と環状の凹部とが交互に配された１以上の管状部材を、挟持することが可能であり、
前記一対の側壁部の少なくとも一方の側壁部が、
前記一対の側壁部によって直接又は他の部材を介して挟持される前記１以上の管状部材を、前記延在方向に沿って摺動可能に支持することが可能な支持部、を有している、プロテクタ。
【請求項２】
請求項１に記載のプロテクタであって、
前記支持部が、
前記側壁部から前記奥壁部と前記一対の側壁部とで囲まれた空間側に突起して前記延在方向に延在しており、前記管状部材の前記環状の凹部に嵌合可能な線状の突起部を含む、プロテクタ。
【請求項３】
請求項１に記載のプロテクタであって、
前記支持部が、
前記管状部材を保持する保持部材を、前記延在方向に沿って摺動可能に支持することが可能である、プロテクタ。
【請求項４】
請求項１から請求項３の何れか１つの請求項に記載のプロテクタであって、
第１挟持部と、第２挟持部と、前記第１挟持部と前記第２挟持部とを連結している連結部とを有しており、前記一対の側壁部の前記奥壁部とは逆側における間隔を狭める方向に力を加えるように前記一対の側壁部を挟持することが可能な１以上の挟持部材、を更に備え、
前記一対の側壁部が、第１側壁部と第２側壁部とを含み、
前記挟持部材は、前記第１挟持部によって前記第１側壁部の前記第２側壁部とは逆側の第１外壁面を押圧し、前記第２挟持部によって前記第２側壁部の前記第１側壁部とは逆側の第２外壁面を押圧し、且つ前記連結部が前記一対の側壁部の前記奥壁部とは逆側に配されている状態で、前記一対の側壁部を挟持することが可能である、プロテクタ。
【請求項５】
請求項４に記載のプロテクタであって、
前記挟持部材が、前記一対の側壁部の間隙から離間する方向に延在している延在部、を含む、プロテクタ。
【請求項６】
請求項１から請求項５の何れか１つの請求項に記載のプロテクタであって、
前記一対の側壁部の間隙内の領域、及び前記間隙を前記延在方向に仮想的に延ばした延長線上の領域のうちの少なくとも一方の領域に、前記延在方向における前記支持部に沿った前記管状部材の摺動を止めることが可能なストッパ部、をさらに備えた、プロテクタ。
【請求項７】
請求項１から請求項６の何れか１つの請求項に記載のプロテクタと、
前記奥壁部と前記一対の側壁部とで囲まれた空間において前記奥壁部に沿って前記延在方向に延在された幹線、及び前記幹線から分岐している１以上の枝線を含む複数の電線が束ねられた電線群と、
前記１以上管状部材と、を備え、
前記管状部材が、前記枝線の周囲を覆っており、
前記一対の側壁部が、直接又は他の部材を介して、前記管状部材を挟持しており、
前記支持部が、直接又は他の部材を介して前記延在方向に沿って前記管状部材を摺動可能に支持している、ワイヤーハーネス。
【請求項８】
請求項４又は請求項５に記載のプロテクタと、
前記奥壁部と前記一対の側壁部とで囲まれた空間において前記奥壁部に沿って前記延在方向に延在された幹線、及び前記幹線から分岐している１以上の枝線を含む複数の電線が束ねられた電線群と、
前記１以上管状部材と、を備え、
前記管状部材が、前記枝線の周囲を覆っており、
前記一対の側壁部が、直接又は他の部材を介して、前記管状部材を挟持しており、
前記支持部が、直接又は他の部材を介して、前記延在方向に沿って前記管状部材を摺動可能に支持しており、
前記挟持部材が、前記一対の側壁部によって挟持された前記管状部材に近接した状態で、前記一対の側壁部の前記奥壁部とは逆側における間隔を狭める方向に力を加えるように前記一対の側壁部を挟持している、ワイヤーハーネス。
【請求項９】
請求項５に記載のプロテクタと、
前記奥壁部と前記一対の側壁部とで囲まれた空間において前記奥壁部に沿って前記延在方向に延在された幹線、及び前記幹線から分岐している１以上の枝線を含む複数の電線が束ねられた電線群と、
前記１以上管状部材と、を備え、
前記管状部材が、前記枝線の周囲を覆っており、
前記一対の側壁部が、直接又は他の部材を介して、前記管状部材を挟持しており、
前記支持部が、直接又は他の部材を介して、前記延在方向に沿って前記管状部材を摺動可能に支持しており、
前記挟持部材が、前記一対の側壁部によって挟持された前記管状部材に近接した状態で、前記一対の側壁部の前記奥壁部とは逆側における間隔を狭める方向に力を加えるように前記一対の側壁部を挟持しており、
前記一対の側壁部によって挟持された前記管状部材が、前記延在部に沿って配され、
前記延在部に固定され且つ前記管状部材の外周部に巻かれていることで、前記延在部に前記管状部材を固定している固定用部材、を更に備えた、ワイヤーハーネス。
【請求項１０】
請求項８又は請求項９に記載のワイヤーハーネスであって、
前記１以上の枝線が、第１枝線と第２枝線とを含み、
前記１以上の管状部材が、前記第１枝線の周囲を覆っている第１管状部材と、前記第２枝線の周囲を覆っている第２管状部材と、を含み、
前記１以上の挟持部材が、
前記一対の側壁部の間の前記奥壁部に対向する開口のうちの、前記第１管状部材と前記第２管状部材との間の部分を塞ぐ閉塞部分を含んでいる、ワイヤーハーネス。
【発明の詳細な説明】
【技術分野】
【０００１】
この発明は、車両等に配設される電線を保護する技術に関する。
【背景技術】
【０００２】
車両等に配設される電線には、保護及び経路規制等を目的として、その周囲にプロテクタが装着される場合がある。また、車両等に配設される電線には、幹線から枝線が分岐している部分もある。このような場所へプロテクタを適用する技術が、例えば、特許文献１及び特許文献２に記載されている。
【０００３】
このうち、特許文献１に記載のプロテクタは、ワイヤーハーネスの幹線の挿通方向が長手方向であり且つ該挿通方向に延在する開口を側方に有する本体と、該開口よりも狭い間隙を有し且つ本体の側方でスライド可能な分岐用部材とを有する。そして、分岐用部材をスライドさせることで、幹線から分岐する分岐線の引き出し位置が適宜調整され得る。
【０００４】
また、特許文献２に記載のワイヤーハーネスは、半筒状のプロテクタと、その半筒状の内部空間に挿通され且つ幹線と枝線とが束ねられた電線群と、プロテクタの側方の開口部の近くにプロテクタの延在方向に沿って設けられた複数の係止凹部に対して、選択的に係止可能な枝線の端部に設けられたコネクタとを有する。これにより、コネクタの装着位置を変更するなどの設計変更に円滑に対応することができる。
【先行技術文献】
【特許文献】
【０００５】
【特許文献１】特開平９−６５５４１号公報
【特許文献２】特開２０１５−１５４５４５号公報
【発明の概要】
【発明が解決しようとする課題】
【０００６】
しかしながら、特許文献１に記載のプロテクタでは、分岐用部材によって分岐線が引き出される位置及び数の変更に対する自由度は高くない。また、特許文献２に記載のワイヤーハーネスでは、予め設けられた複数の係止凹部の位置によって枝線を分岐させる位置が決まるため、枝線を分岐させる位置の変更に対する自由度が高いとは言えない。
【０００７】
本発明は、上記課題に鑑みてなされたものであり、電線が分岐する位置及び数の変更に対する自由度が高いプロテクタ及びワイヤーハーネスを提供することを目的とする。
【課題を解決するための手段】
【０００８】
上記課題を解決するために、第１の態様に係るプロテクタは、電線を保護するためのプロテクタであって、奥壁部と、前記奥壁部に立設するように形成されており、且つ互いに対向しており、前記奥壁部の延在方向に延在している一対の側壁部と、を備え、前記一対の側壁部が、前記奥壁部から離間した位置で、直接又は他の部材を介して、環状の凸部と環状の凹部とが交互に配された１以上の管状部材を、挟持することが可能であり、前記一対の側壁部の少なくとも一方の側壁部が、前記一対の側壁部によって直接又は他の部材を介して挟持される前記１以上の管状部材を、前記延在方向に沿って摺動可能に支持することが可能な支持部、を有している。
【０００９】
第２の態様に係るプロテクタは、第１の態様に係るプロテクタであって、前記支持部が、前記側壁部から前記奥壁部と前記一対の側壁部とで囲まれた空間側に突起して前記延在方向に延在しており、前記管状部材の前記環状の凹部に嵌合可能な線状の突起部を含む。
【００１０】
第３の態様に係るプロテクタは、第１の態様に係るプロテクタであって、前記支持部が、前記管状部材を保持する保持部材を、前記延在方向に沿って摺動可能に支持することが可能である。
【００１１】
第４の態様に係るプロテクタは、第１から第３の何れか１つの態様に係るプロテクタであって、第１挟持部と、第２挟持部と、前記第１挟持部と前記第２挟持部とを連結している連結部とを有しており、前記一対の側壁部の前記奥壁部とは逆側における間隔を狭める方向に力を加えるように前記一対の側壁部を挟持することが可能な１以上の挟持部材、を更に備え、前記一対の側壁部が、第１側壁部と第２側壁部とを含み、前記挟持部材は、前記第１挟持部によって前記第１側壁部の前記第２側壁部とは逆側の第１外壁面を押圧し、前記第２挟持部によって前記第２側壁部の前記第１側壁部とは逆側の第２外壁面を押圧し、且つ前記連結部が前記一対の側壁部の前記奥壁部とは逆側に配されている状態で、前記一対の側壁部を挟持することが可能である。
【００１２】
第５の態様に係るプロテクタは、第４の態様に係るプロテクタであって、前記挟持部材が、前記一対の側壁部の間隙から離間する方向に延在している延在部、を含む。
【００１３】
第６の態様に係るプロテクタは、第１から第５の何れか１つの態様に係るプロテクタであって、前記一対の側壁部の間隙内の領域、及び前記間隙を前記延在方向に仮想的に延ばした延長線上の領域のうちの少なくとも一方の領域に、前記延在方向における前記支持部に沿った前記管状部材の摺動を止めることが可能なストッパ部、をさらに備えている。
【００１４】
第７の態様に係るワイヤーハーネスは、第１から第６の何れか１つの態様に係るプロテクタと、前記奥壁部と前記一対の側壁部とで囲まれた空間において前記奥壁部に沿って前記延在方向に延在された幹線、及び前記幹線から分岐している１以上の枝線を含む複数の電線が束ねられた電線群と、前記１以上管状部材と、を備え、前記管状部材が、前記枝線の周囲を覆っており、前記一対の側壁部が、直接又は他の部材を介して、前記管状部材を挟持しており、前記支持部が、直接又は他の部材を介して前記延在方向に沿って前記管状部材を摺動可能に支持している。
【００１５】
第８の態様に係るワイヤーハーネスは、第４又は第５の態様に係るプロテクタと、前記奥壁部と前記一対の側壁部とで囲まれた空間において前記奥壁部に沿って前記延在方向に延在された幹線、及び前記幹線から分岐している１以上の枝線を含む複数の電線が束ねられた電線群と、前記１以上管状部材と、を備え、前記管状部材が、前記枝線の周囲を覆っており、前記一対の側壁部が、直接又は他の部材を介して、前記管状部材を挟持しており、前記支持部が、直接又は他の部材を介して、前記延在方向に沿って前記管状部材を摺動可能に支持しており、前記挟持部材が、前記一対の側壁部によって挟持された前記管状部材に近接した状態で、前記一対の側壁部の前記奥壁部とは逆側における間隔を狭める方向に力を加えるように前記一対の側壁部を挟持している。
【００１６】
第９の態様に係るワイヤーハーネスは、第５の態様に係るプロテクタと、前記奥壁部と前記一対の側壁部とで囲まれた空間において前記奥壁部に沿って前記延在方向に延在された幹線、及び前記幹線から分岐している１以上の枝線を含む複数の電線が束ねられた電線群と、前記１以上管状部材と、を備え、前記管状部材が、前記枝線の周囲を覆っており、前記一対の側壁部が、直接又は他の部材を介して、前記管状部材を挟持しており、前記支持部が、直接又は他の部材を介して、前記延在方向に沿って前記管状部材を摺動可能に支持しており、前記挟持部材が、前記一対の側壁部によって挟持された前記管状部材に近接した状態で、前記一対の側壁部の前記奥壁部とは逆側における間隔を狭める方向に力を加えるように前記一対の側壁部を挟持しており、前記一対の側壁部によって挟持された前記管状部材が、前記延在部に沿って配され、前記延在部に固定され且つ前記管状部材の外周部に巻かれていることで、前記延在部に前記管状部材を固定している固定用部材、を更に備えている。
【００１７】
第１０の態様に係るワイヤーハーネスは、第８又は第９の態様に係るワイヤーハーネスであって、前記１以上の枝線が、第１枝線と第２枝線とを含み、前記１以上の管状部材が、前記第１枝線の周囲を覆っている第１管状部材と、前記第２枝線の周囲を覆っている第２管状部材と、を含み、前記１以上の挟持部材が、前記一対の側壁部の間の前記奥壁部に対向する開口のうちの、前記第１管状部材と前記第２管状部材との間の部分を塞ぐ閉塞部分を含んでいる。
【発明の効果】
【００１８】
第１から第６の何れの態様に係るプロテクタによっても、例えば、プロテクタの延在方向に延びる開口に対してコルゲートチューブを任意の位置までシフトさせることができる。したがって、電線が分岐する位置及び数の変更に対する自由度が高いプロテクタが実現され得る。
【００１９】
第２の態様に係るプロテクタによれば、例えば、簡単な構造で、プロテクタの延在方向に延びる開口に対してコルゲートチューブを任意の位置までシフトさせることができる。
【００２０】
第４及び第５の何れの態様に係るプロテクタによっても、例えば、コルゲートチューブを挟持している一対の側壁部が、さらに挟持部材によって挟持されることで、例えば、コルゲートチューブが強固に固定され得る。その結果、電線が分岐する位置が強固に固定され得る。
【００２１】
第５の態様に係るプロテクタによれば、例えば、延在部にコルゲートチューブを沿わせた状態で、延在部に固定される固定用の部材がコルゲートチューブに巻き付けられることで、コルゲートチューブが強固に固定され得る。その結果、電線が分岐する位置が強固に固定され得る。
【００２２】
第６の態様に係るプロテクタによれば、例えば、ストッパ部の存在によって、コルゲートチューブが、プロテクタの延在方向に延びる開口においてズレたり、プロテクタから脱落したりする不具合が発生し難くなる。
【００２３】
第７から第１０の何れの態様に係るワイヤーハーネスによっても、例えば、プロテクタの延在方向に延びる開口に対して１以上のコルゲートチューブが任意の位置に配され得る。したがって、電線が分岐する位置及び数の変更に対する自由度が高いワイヤーハーネスが実現され得る。
【００２４】
第８及び第９の何れの態様に係るワイヤーハーネスによっても、例えば、コルゲートチューブを挟持している一対の側壁部が、さらに挟持部材によって挟持されることで、コルゲートチューブが強固に固定され得る。すなわち、電線が分岐する位置が強固に固定され得る。
【００２５】
第９の態様に係るワイヤーハーネスによれば、例えば、挟持部材から延在している延在部にコルゲートチューブが固定されることで、コルゲートチューブが強固に固定され得る。すなわち、電線が分岐する位置が強固に固定され得る。
【００２６】
第１０の態様に係るワイヤーハーネスによれば、例えば、プロテクタの開口のうちの２つのコルゲートチューブの間の部分が塞がれることで、例えば、コルゲートチューブの間隔が固定され得る。また、例えば、プロテクタ内に配される電線群が覆われるため、ワイヤーハーネスの見栄えが良くなる。
【図面の簡単な説明】
【００２７】
【図１】一実施形態に係るワイヤーハーネスを例示する概略斜視図である。
【図２】図１のII−II線に沿って切断したワイヤーハーネスの概略断面図である。
【図３】一実施形態に係るプロテクタを例示する概略斜視図である。
【図４】図３のIV−IV線に沿って切断したプロテクタの概略断面図である。
【図５】第１変形例に係るプロテクタを例示する概略斜視図である。
【図６】図５のVI−VI線に沿って切断したプロテクタの概略断面図である。
【図７】第２変形例に係るワイヤーハーネスを例示する概略斜視図である。
【図８】図７のVIII−VIII線で切断したワイヤーハーネスの概略断面図である。
【図９】一対の側壁部を挟持部材によって挟持させる手順の一例を示す図である。
【図１０】一対の側壁部を挟持部材によって挟持させる手順の一例を示す図である。
【図１１】一対の側壁部を挟持部材によって挟持させる手順の一例を示す図である。
【図１２】第３変形例に係るワイヤーハーネスを例示する概略斜視図である。
【図１３】第３変形例に係るワイヤーハーネスを例示する概略正面図である。
【図１４】第４変形例に係るワイヤーハーネスを例示する概略正面図である。
【図１５】第４変形例に係る挟持部材を例示する概略斜視図である。
【図１６】第５変形例に係るワイヤーハーネスを例示する概略正面図である。
【図１７】第５変形例に係るワイヤーハーネスを例示する概略上面図である。
【図１８】第６変形例に係る挟持部材の概略側面図である。
【図１９】第６変形例に係る挟持部材の概略側面図である。
【図２０】第７変形例に係るワイヤーハーネスを例示する概略正面図である。
【図２１】図２０のXXI−XXI線で切断したワイヤーハーネスの概略断面図である。
【図２２】保持部材の一例を示す概略側面図である。
【図２３】保持部材の一例を示す分解側面図である。
【図２４】保持部材の一例を示す分解正面図である。
【発明を実施するための形態】
【００２８】
＜１．一実施形態＞
以下、一実施形態に係るワイヤーハーネス１及びプロテクタ２について説明する。なお、図面においては同様な構成および機能を有する部分については同じ符号が付されており、下記説明では重複説明が省略される。図面は模式的に示されたものであり、各図における各種構造のサイズおよび位置関係等は適宜変更され得る。
【００２９】
図１は、一実施形態に係るワイヤーハーネス１を例示する概略斜視図である。図２は、図１のII−II線に沿って切断したワイヤーハーネス１の断面図である。図３は、一実施形態に係るプロテクタ２を例示する概略斜視図である。図４は、図３のIV−IV線に沿って切断したプロテクタ２の断面図である。なお、図１から図４には、プロテクタ２の長手方向を＋Ｘ方向とし、プロテクタ２の幅方向を＋Ｙ方向とする、右手系のＸＹＺ座標系が付されている。
【００３０】
一実施形態に係るワイヤーハーネス１は、例えば、プロテクタ２と、電線群３と、コルゲートチューブ４とを備えている。ワイヤーハーネス１は、例えば、電源供給或いは信号通信に用いられる複数の電線が束にされた集合部品である。なお、プロテクタ２が取り付けられたワイヤーハーネスは、例えば、プロテクタ付ワイヤーハーネスとも称される。
【００３１】
電線群３は、例えば、複数の電線が束ねられたものであり、幹線３ｍと該幹線３ｍから分岐している１以上の枝線３ｂとを含んでいる。枝線３ｂは、１本の電線で構成されてもよいし、２本以上の電線が束ねられたもので構成されてもよい。電線群３は、例えば、車両等に配索されて、各種電気部品同士を電気的に接続する配線材として用いられる。電線群３には、光ファイバーケーブル等が含まれていてもよい。図１、図２、図７から図１４、図１６、図１７、図２０及び図２１では、複数本の電線が束ねられた電線群３の概形が描かれている。また、図３から図６には、電線群３が配される対象となる位置の外縁が一点鎖線で描かれている。
【００３２】
コルゲートチューブ４は、長手方向に山部４ｐと谷部４ｒとが連続して形成された外周部を有している。コルゲートチューブ４は、筒状に形成されている。具体的には、コルゲートチューブ４では、山部４ｐは、谷部４ｒよりも径方向に突出する環状の凸部であり、谷部４ｒは、山部４ｐよりも径方向に凹んでいる環状の凹部である。山部４ｐと谷部４ｒとは、コルゲートチューブ４の長手方向に沿って交互に形成されている。すなわち、コルゲートチューブ４は、環状の凸部と環状の凹部とが交互に配された外形を有している管状の部材（管状部材とも言う）である。ここでは、コルゲートチューブ４の長手方向に直交する方向に沿って切断した断面は、例えば、円形であるが、これに限られず、例えば、楕円形状等であってもよい。
【００３３】
コルゲートチューブ４の素材としては、例えば、樹脂等のある程度の柔軟性を有し且つ弾性変形が可能な素材が採用され得る。該樹脂には、例えば、ゴム等が含まれる。この場合、例えば、コルゲートチューブ４は、環状の凸部と環状の凹部との間の段部等で比較的容易に弾性変形するため、全体として曲げ変形が容易な性質を有している。
【００３４】
コルゲートチューブ４は、例えば、電線群３において幹線３ｍから分岐している枝線３ｂの周囲を覆うことで、該枝線３ｂを保護することができる。ここで、例えば、電線群３において、幹線３ｍから２本以上の枝線３ｂが枝分かれしていれば、例えば、各枝線３ｂの周囲がコルゲートチューブ４によって覆われ得る。つまり、ワイヤーハーネス１には、例えば、１本以上の枝線３ｂ及び１本以上のコルゲートチューブ４が配され得る。
【００３５】
ここで、例えば、コルゲートチューブ４に長手方向に沿ったスリットが形成されていれば、該スリットが割り開かれて、該コルゲートチューブ４の内部の空間４ｓに枝線３ｂが収容され得る。また、例えば、コルゲートチューブ４にスリットが形成されていなければ、該コルゲートチューブ４の一方側の開口から他方側の開口に向けて枝線３ｂが中通しされてもよい。これらの何れの構成が採用されても、コルゲートチューブ４が枝線３ｂに外装され得る。図１、図３及び図５には、プロテクタ２に取り付けられる前のコルゲートチューブ４及び該コルゲートチューブ４で覆われた枝線３ｂが配される対象となる位置のそれぞれの外縁が一点鎖線で描かれている。
【００３６】
プロテクタ２は、例えば、電線群３の外周部を保護することが可能な部材である。また、プロテクタ２は、例えば、電線群３を構成する幹線３ｍ及び枝線３ｂの配設経路を規制することが可能な部材である。ここで、プロテクタ２の素材として、例えば、樹脂等の適度な剛性を有する素材が採用され、プロテクタ２の厚さ及び形状が調整されれば、プロテクタ２による電線群３の保護及び配設経路の規制が実現され得る。プロテクタ２の素材としての樹脂には、例えば、プラスチックス等が含まれる。プロテクタ２は、例えば、左右又は上下から接離可能な一対の金型を用いた樹脂の一体成型等によって製造され得る。なお、プロテクタ２は、例えば、３Ｄプリンタ等によっても成型され得る。
【００３７】
プロテクタ２は、例えば、奥壁部２ａと、一対の側壁部２ｂとを備えている。
【００３８】
奥壁部２ａは、例えば、幹線３ｍの配設経路に応じた形状を有している。本実施形態では、奥壁部２ａの延在方向は、例えば、直線状の＋Ｘ方向又は略直線状に設定されているが、１次元、２次元及び３次元の何れの方向にされてもよい。例えば、奥壁部２ａの延在方向は、若干湾曲する等、曲がっていてもよい。
【００３９】
一対の側壁部２ｂは、奥壁部２ａに立設するように形成されている。一対の側壁部２ｂには、例えば、＋Ｚ側に配される第１側壁部２ｂ１と、−Ｚ側に配される第２側壁部２ｂ２とが含まれる。そして、第１側壁部２ｂ１と第２側壁部２ｂ２とが、互いに対向しており、且つ奥壁部２ａの延在方向に沿って延在している。本実施形態では、第１側壁部２ｂ１と第２側壁部２ｂ２とが、奥壁部２ａの延在方向に直交又は略直交する方向において対向している。また、ここでは、第１側壁部２ｂ１及び第２側壁部２ｂ２は、奥壁部２ａの幅方向の両端部に立設されている。
【００４０】
具体的には、奥壁部２ａの幅方向の一端部（ここでは、＋Ｚ方向の端部）に第１側壁部２ｂ１が立設され、奥壁部２ａの幅方向の他端部（ここでは、−Ｚ方向の端部）に第２側壁部２ｂ２が立設されている。これにより、プロテクタ２は、奥壁部２ａの延在方向に直交する断面（ここでは、ＹＺ断面）がＵ字状である内壁を有している。このため、一対の側壁部２ｂと奥壁部２ａとを有するプロテクタ２の周方向の一部（ここでは、−Ｙ方向の部分）が開口した収容空間２ｓｐが形成されている。収容空間２ｓｐは、例えば、奥壁部２ａと一対の側壁部２ｂとで囲まれた空間である。換言すれば、プロテクタ２には、例えば、プロテクタ２の周方向のうち、奥壁部２ａと対向する−Ｙ方向の部分に、スリット状の開口（スリット状開口とも言う）２ｏｐが形成されている。
【００４１】
ここで、一対の側壁部２ｂが互いに離間し且つ平行又は略平行に配されていれば、例えば、スリット状開口２ｏｐは、一定又は略一定の幅Ｗ１を有して奥壁部２ａの延在方向に沿って延在している。また、プロテクタ２には、延在方向における両端部（ここでは、＋Ｘ側の端部及び−Ｘ側の端部）にも、それぞれに開口が形成されている。
【００４２】
収容空間２ｓｐには、例えば、幹線２ｍ及び該幹線２ｍから分岐した１本以上の枝線３ｂのうちの分岐点に近い部分が配されている。具体的には、例えば、収容空間２ｓｐにおいて、奥壁部２ａに沿って、該奥壁部２ａの延在方向に幹線３ｍが延在しており、幹線３ｍから１本以上の枝線３ｂが分岐している。このとき、例えば、収容空間２ｓｐの＋Ｘ側及び−Ｘ側の端部に位置する開口において、幹線３ｍが、外部の空間から収容空間２ｓｐ内にかけて配され得るとともに、収容空間２ｓｐ内から外部の空間にかけて配され得る。また、幹線３ｍから分岐された１本以上の枝線３ｂは、例えば、収容空間２ｓｐにおけるスリット状開口２ｏｐから、プロテクタ２の外部に導出され得る。
【００４３】
ところで、一対の側壁部２ｂは、奥壁部２ａから離間した位置で、コルゲートチューブ４を挟持することができる。図１の例では、一対の側壁部２ｂによって、１本のコルゲートチューブ４が挟持されている。ここで、奥壁部２ａから離間した位置としては、例えば、スリット状開口２ｏｐに沿った位置が採用され得る。
【００４４】
ここでは、一対の側壁部２ｂには、コルゲートチューブ４を支持するための支持部２ｒが設けられている。ここで、支持部２ｒは、例えば、コルゲートチューブ４を奥壁部２ａの延在方向に沿って摺動可能に支持することができる。図１の例では、支持部２ｒによって、１本のコルゲートチューブ４が、奥壁部２ａの延在方向に沿って摺動可能に支持されている。このような構成により、例えば、プロテクタ２の延在方向に延びるスリット状開口２ｏｐに対してコルゲートチューブ４を任意の位置までシフトさせることができる。このため、電線が分岐する位置及び数の変更に対する自由度が高いプロテクタ２が実現され得る。その結果、ワイヤーハーネス１が実装される車両等における設計上の仕様の違いにも、容易に対応することが可能となる。
【００４５】
支持部２ｒには、例えば、第１支持部２ｒ１及び第２支持部２ｒ２が含まれている。第１支持部２ｒ１は、第１側壁部２ｂ１の第２側壁部２ｂ２に対向している部分において、スリット状開口２ｏｐに沿って配されている。また、第２支持部２ｒ２は、第２側壁部２ｂ２の第１側壁部２ｂ１に対向している部分において、スリット状開口２ｏｐに沿って配されている。ここでは、支持部２ｒには、例えば、一対の側壁部２ｂのそれぞれから、奥壁部２ａと一対の側壁部２ｂとで囲まれた収容空間２ｓｐ側に突起している線状の突起部（線状突起部とも言う）２ｐｒが含まれている。該線状突起部２ｐｒは、奥壁部２ａの延在方向に延在しており、コルゲートチューブ４の谷部４ｒに嵌合可能である。すなわち、線状突起部２ｐｒは、レール状の形状を有している。
【００４６】
これにより、例えば、簡単な構造で、プロテクタ２の延在方向に延びるスリット状開口２ｏｐに対してコルゲートチューブ４を任意の位置までシフトさせることができる。このため、コルゲートチューブ４の高精度な位置決めが容易に可能となる。そして、例えば、プロテクタ２に対してコルゲートチューブ４の位置が軽く決められた状態で、テープ及びバンド等によって、プロテクタ２にコルゲートチューブ４を固定することができる。
【００４７】
なお、ここで、例えば、コルゲートチューブ４の谷部４ｒの径Ｄ１が、スリット状開口２ｏｐの短手方向（ここでは、＋Ｚ方向）の幅Ｗ１と同等若しくは該幅Ｗ１よりも若干大きい場合が想定される。この場合、例えば、スリット状開口２ｏｐにコルゲートチューブ４が挿入されると、スリット状開口２ｏｐの幅Ｗ１が拡がる方向に、プロテクタ２が若干弾性変形を生じ、該弾性変形によって生じる弾性力により、コルゲートチューブ４が一対の側壁部２ｂによって挟持され得る。
【００４８】
図１から図４の例では、第１支持部２ｒ１及び第２支持部２ｒ２のそれぞれにおいて、２本の線状突起部２ｐｒが設けられ、該２本の線状突起部２ｐｒがコルゲートチューブ４の谷部４ｒに嵌合している。各支持部２ｒ１，２ｒ２において、２本の線状突起部２ｐｒは、奥壁部２ａから離間する方向において、互いに平行又は略平行に並べられている。奥壁部２ａから離間する方向は、例えば、単純には−Ｙ方向であるが、−Ｙ方向に対して傾けられた方向であってもよい。ここでは、コルゲートチューブ４の軸方向（ここでは、＋Ｙ方向）は、例えば、各線状突起部２ｐｒの延在方向に対して直交又は略直交し、且つ第１側壁部２ｂ１及び第２側壁部２ｂ２の延在方向に対して直交又は略直交するように設定されている。ここで、各線状突起部２ｐｒは、コルゲートチューブ４の外周部の谷部４ｒに嵌合され、該線状突起部２ｐｒの延在方向に沿ったコルゲートチューブ４の摺動を可能としている。つまり、各線状突起部２ｐｒは、線状開口部２ｏｐに沿ったコルゲートチューブ４の摺動をガイドすることができる。
【００４９】
ここでは、例えば、図１及び図３で示されるように、プロテクタ２の延在方向における一端部（＋Ｘ側の端部）の開口において、第１支持部２ｒ１及び第２支持部２ｒ２に対して、コルゲートチューブ４の谷部４ｒに各線状突起部２ｐｒを嵌合させることができる。例えば、コルゲートチューブ４の軸方向が、各線状突起部２ｐｒの延在方向に直交又は略直交し、且つ第１側壁部２ｂ１及び第２側壁部２ｂ２の延在方向に直交又は略直交した状態で、コルゲートチューブ４の幹線３ｍ側の端部から近い谷部４ｒが線状突起部２ｐｒに嵌合され得る。これにより、例えば、スリット状開口２ｏｐの近傍において、第１側壁部２ｂ１及び第２側壁部２ｂ２の間に、コルゲートチューブ４が挿入され得る。これにより、例えば、スリット状開口２ｏｐの近傍において、第１側壁部２ｂ１と第２側壁部２ｂ２とによって、コルゲートチューブ４が挟持され得る。
【００５０】
図１及び図３の例では、第１側壁部２ｂ１と第２側壁部２ｂ２とによって、１本のコルゲートチューブ４が挟持されている状態が示されているが、これに限られない。例えば、第１側壁部２ｂ１及び第２側壁部２ｂ２の間に、２本以上のコルゲートチューブ４が順次に挿入されることで、第１側壁部２ｂ１と第２側壁部２ｂ２とによって、２本以上のコルゲートチューブ４が挟持されてもよい。これにより、例えば、プロテクタ２の延在方向に延びるスリット状開口２ｏｐに対して１以上のコルゲートチューブ４が任意の位置に配され得る。
【００５１】
なお、図１及び図３の例では、一対の側壁部２ｂの両方に支持部２ｒが設けられていたが、これに限られない。例えば、一対の側壁部２ｂの少なくとも一方の側壁部に、支持部２ｒが設けられていれば、コルゲートチューブ４は、支持部２ｒによって奥壁部２ａの延在方向に沿って摺動可能に支持され得る。
【００５２】
以上のように、本実施形態に係るプロテクタ２によれば、例えば、コルゲートチューブ４が、一対の側壁部２ｂによって奥壁部２ａから離間した位置で挟持され、且つ少なくとも一方の側壁部２ｂの支持部２ｒによって奥壁部２ａの延在方向に沿って摺動可能に支持され得る。これにより、例えば、プロテクタ２の延在方向に延びるスリット状開口２ｏｐに対してコルゲートチューブ４を任意の位置までシフトさせることができる。したがって、電線が分岐する位置及び数の変更に対する自由度が高いプロテクタ２が実現され得る。
【００５３】
また、本実施形態に係るワイヤーハーネス１によれば、例えば、複数の電線が束ねられた電線群３のうち、幹線３ｍが、プロテクタ２の収容空間２ｓｐにおいて奥壁部２ａの延在方向に沿って配され、枝線３ｂが、コルゲートチューブ４によって周囲から覆われている。そして、該コルゲートチューブ４が、例えば、一対の側壁部２ｂによって奥壁部２ａから離間した位置で挟持され、且つ少なくとも一方の側壁部２ｂの支持部２ｒによって奥壁部２ａの延在方向に沿って摺動可能に支持されている。これにより、例えば、プロテクタ２の延在方向に延びるスリット状開口２ｏｐに対して１以上のコルゲートチューブ４が任意の位置に配され得る。したがって、電線が分岐する位置及び数の変更に対する自由度が高いワイヤーハーネス１が実現され得る。
【００５４】
なお、本実施形態によれば、例えば、ワイヤーハーネス１が車両等に実際に搭載される際に、プロテクタ２から枝線３ｂが引き出される位置が適宜調整可能であるため、装置間における電線の接続が容易となり得る。
【００５５】
＜２．変形例＞
なお、本発明は上述の一実施形態に限定されるものではなく、本発明の要旨を逸脱しない範囲において種々の変更、改良等が可能である。
【００５６】
＜２−１．第１変形例＞
例えば、一対の側壁部２ｂに挟まれた間隙内の領域に、奥壁部２ａの延在方向（ここでは、−Ｘ方向）における支持部２ｒに沿ったコルゲートチューブ４の摺動を止めることが可能な部分（ストッパ部とも言う）が設けられていてもよい。この場合、例えば、ストッパ部の存在によって、コルゲートチューブ４が、プロテクタ２の延在方向に延びるスリット状開口２ｏｐ内においてズレたり、該延在方向におけるプロテクタ２の開口から脱落したりする不具合が発生し難くなる。
【００５７】
図５は、第１変形例に係るプロテクタ２Ａを示す概略斜視図である。図６は、図５のVI−VI線に沿って切断したプロテクタ２Ａの概略断面図である。プロテクタ２Ａは、上記一実施形態に係るプロテクタ２をベースにして、ストッパ部２ｓｔが追加されたものである。図５及び図６の例では、支持部２ｒの一端部（ここでは、−Ｘ側の端部）にストッパ部２ｓｔが設けられている。ここで、ストッパ部２ｓｔは、第２側壁部２ｂ２から収容空間２ｓｐに向けて突設されている。なお、ストッパ部２ｓｔは、例えば、第１側壁部２ｂ１から収容空間２ｓｐに向けて突設されていてもよいし、第１側壁部２ｂ１から第２側壁部２ｂ２にかけて設けられた柱状又は板状の部分であってもよい。
【００５８】
図５及び図６の例では、ストッパ部２ｓｔは、例えば、プロテクタ２Ａの一端部に設けられたが、これに限られず、例えば、奥壁部２ａの延在方向におけるプロテクタ２Ａの両端部の間の任意の位置に設けられていてもよい。このとき、例えば、奥壁部２ａの延在方向におけるプロテクタ２Ａの両端部のそれぞれにおいて、コルゲートチューブ４が収容空間２ｓｐに挿入可能とされてもよい。
【００５９】
また、ストッパ部２ｓｔは、一対の側壁部２ｂに挟まれた収容空間２ｓｐ内に設けられたが、これに限られない。例えば、収容空間２ｓｐを奥壁部２ａの延在方向（ここでは、−Ｘ方向）に仮想的に延ばした延長線上の領域（延長領域とも言う）に、該延在方向における支持部２ｒに沿ったコルゲートチューブ４の摺動を止めることが可能な部分（ストッパ部とも言う）が設けられていてもよい。例えば、第１側壁部２ｂ１の端面、及び第２側壁部２ｂ２の端面のうちの少なくとも一方の端面から延長領域にかけてストッパ部が設けられてもよいし、該延長領域を介して第１側壁部２ｂ１の端面と第２側壁部２ｂ２の端面とを結ぶ柱状又は板状等のストッパ部が設けられてもよい。すなわち、例えば、収容空間２ｓｐ内の領域及び延長領域のうちの少なくとも一方の領域に、ストッパ部２ｓｔが設けられれば、コルゲートチューブ４が、スリット状開口２ｏｐ内において配設される位置からずれ難く、プロテクタ２から脱落し難い。
【００６０】
＜２−２．第２変形例＞
また、例えば、上記一実施形態及び上記第１変形例に係るプロテクタ２，２Ａに、コルゲートチューブ４を挟持する一対の側壁部２ｂをさらに挟持する１以上の部材（挟持部材とも言う）を含ませてもよい。この場合、例えば、挟持部材が、一対の側壁部２ｂによって挟持されたコルゲートチューブ４に近接した状態で、一対の側壁部２ｂの奥壁部２ａとは逆側における間隔（スリット状開口２ｏｐの幅）Ｗ１を狭める方向に力が加わるように一対の側壁部２ｂを挟持し得る。これにより、例えば、プロテクタ２に対してコルゲートチューブ４が強固に固定され得る。その結果、電線が分岐する位置が強固に固定され得る。
【００６１】
図７は、第２変形例に係るワイヤーハーネス１Ｂ及びプロテクタ２Ｂを示す概略斜視図である。図８は、図７のVIII−VIII線に沿って切断したワイヤーハーネス１Ｂ及びプロテクタ２Ｂの概略断面図である。ワイヤーハーネス１Ｂは、上記一実施形態又は上記第１変形例に係るワイヤーハーネス１，１Ａをベースにして、上記一実施形態又は上記第１変形例に係るプロテクタ２，２Ａが、挟持部材２ｓｗが追加されたプロテクタ２Ｂに変更されたものである。
【００６２】
図７及び図８の例では、挟持部材２ｓｗは、第１挟持部Ｐｒ１と、第２挟持部Ｐｒ２と、連結部Ｃｎ１とを有している。連結部Ｃｎ１は、第１挟持部Ｐｒ１と第２挟持部Ｐｒ２とを連結している。具体的には、第１挟持部Ｐｒ１及び第２挟持部Ｐｒ２は、相互に離間して、それぞれ一方向（例えば、＋Ｙ方向）に延在している。また、連結部Ｃｎ１は、第１挟持部Ｐｒ１及び第２挟持部Ｐｒ２の一方向とは逆側（ここでは、−Ｙ側）の部分を連結している。つまり、連結部Ｃｎ１は、第１挟持部Ｐｒ１の基端部から第２挟持部Ｐｒ２の基端部にかけて延在している。このため、挟持部材２ｓｗは、ＹＺ断面がＵ字状となるように形成されている。
【００６３】
また、例えば、挟持部材２ｓｗの少なくとも一部が、弾性変形が可能な素材で構成されている。弾性変形が可能な素材としては、例えば、ゴム又はプラスチックス等の樹脂が採用され得る。このとき、挟持部材２ｓｗは、例えば、樹脂の一体成型等によって容易に製造され得る。ここで、例えば、挟持部材２ｓｗを弾性変形させることが可能であれば、第１挟持部Ｐｒ１と第２挟持部Ｐｒ２との間隔を拡げることができる。具体的には、第１挟持部Ｐｒ１の先端部と第２挟持部Ｐｒ２の先端部との間隔を拡げることができる。これにより、例えば、第１挟持部Ｐｒ１と第２挟持部Ｐｒ２とによって、一対の側壁部２ｂが外側から挟まれるように、挟持部材２ｓｗを配置することが可能となる。このとき、挟持部材２ｓｗによる一対の側壁部２ｂの挟持により、挟持部材２ｓｗにおける弾性変形に応じた弾性力により、挟持部材２ｓｗによって、一対の側壁部２ｂの奥壁部２ａとは逆側における間隔（スリット状開口２ｏｐの幅）Ｗ１を狭める方向に力が加えられ得る。
【００６４】
このとき、例えば、第１挟持部Ｐｒ１によって第１側壁部２ｂ１の第２側壁部２ｂ２とは逆側の外壁面（第１外壁面とも言う）が押圧され、第２挟持部Ｐｒ２によって第２側壁部２ｂ２の第１側壁部２ｂ１とは逆側の外壁面（第２外壁面とも言う）が押圧され得る。そして、連結部Ｃｎ１が一対の側壁部２ｂの奥壁部２ａとは逆側に配された状態で、挟持部材２ｓｗによって、一対の側壁部２ｂが挟持され得る。これにより、例えば、コルゲートチューブ４を挟持している一対の側壁部２ｂが、さらに挟持部材２ｓｗによって挟持され得る。
【００６５】
ここでは、例えば、挟持部材２ｓｗが、一対の側壁部２ｂによって挟持されたコルゲートチューブ４に近接した状態で、スリット状開口２ｏｐの幅Ｗ１を狭める方向に一対の側壁部２ｂに対して力を加える。これにより、コルゲートチューブ４が、一対の側壁部２ｂによって強固に挟持され得る。すなわち、例えば、コルゲートチューブ４がプロテクタ２に対して強固に固定され得る。その結果、電線が分岐する位置が強固に固定され得る。
【００６６】
ここで、例えば、挟持部材２ｓｗが、第１挟持部Ｐｒ１及び第２挟持部Ｐｒ２の各先端部に、相互に近づく方向に突起された凸部を有していてもよい。この場合、例えば、これらの凸部が、一対の側壁部２ｂに設けられた一対の線状の貫通孔（線状状貫通孔とも言う）２ｆに嵌合されれば、挟持部材２ｓｗがプロテクタ２に係止され得る。これにより、挟持部材２ｓｗによって一対の側壁部２ｂが安定して挟持され得る。
【００６７】
ここでは、一対の線状貫通孔２ｆには、例えば、第１側壁部２ｂ１を厚さ方向（ここでは、＋Ｚ方向）に貫通する第１線状貫通孔２ｆ１と、第２側壁部２ｂ２を厚さ方向（ここでは、＋Ｚ方向）に貫通する第２線状貫通孔２ｆ２とが含まれる。第１線状貫通孔２ｆ１は、第１側壁部２ｂ１の奥壁部２ａとは反対側の部分の近傍において、スリット状開口２ｏｐの延在方向（ここでは、−Ｘ方向）に沿って延在する。そして、第１挟持部Ｐｒ１の先端に第２挟持部Ｐｒ２に向けて突起された凸部（第１凸部とも言う）が、第１線状貫通孔２ｆ１に嵌合し得る。また、第２線状貫通孔２ｆ２は、第２側壁部２ｂ２の奥壁部２ａとは反対側の部分の近傍において、スリット状開口２ｏｐの延在方向（ここでは、−Ｘ方向）に沿って延在する。そして、第２挟持部Ｐｒ２の先端に第１挟持部Ｐｒ１に向けて突起された凸部（第２凸部とも言う）が、第２線状貫通孔２ｆ２に嵌合し得る。このとき、例えば、第１凸部が第１線状貫通孔２ｆ１に嵌合され且つ第２凸部が第２線状貫通孔２ｆ２に嵌合された状態で、挟持部材２ｓｗを、スリット状開口２ｏｐの延在方向に沿って摺動させることが可能である。
【００６８】
図９から図１１は、挟持部材２ｓｗによって、一対の側壁部２ｂを挟持させる手順の一例を示す図である。図１０には、図９の状態において挟持部材２ｓｗが存在していた位置が一点鎖線で描かれている。また、図１１には、図１０の状態において挟持部材２ｓｗが存在していた位置が一点鎖線で描かれている。
【００６９】
例えば、まず、図９から図１０で示されるように、挟持部材２ｓｗによって一対の側壁部２ｂを挟持させる。このとき、例えば、第１挟持部Ｐｒ１の第１凸部が、第１線状貫通孔２ｆ１に嵌合され、第２挟持部Ｐｒ２の第２凸部が、第２線状貫通孔２ｆ２に嵌合される。そして、図１０から図１１で示されるように、例えば、挟持部材２ｓｗが、スリット状開口２ｏｐの延在方向に沿って摺動されることで、挟持部材２ｓｗが、一対の側壁部２ｂによって挟持されたコルゲートチューブ４に近接した状態とされる。このとき、挟持部材２ｓｗは、例えば、スリット状開口２ｏｐの幅Ｗ１を狭める方向に力を加えるように一対の側壁部２ｂを挟持することができる。
【００７０】
なお、ここで、例えば、第１線状貫通孔２ｆ１の代わりに、第１側壁部２ｂ１の収容空間２ｓｐとは逆側の第１外壁面に設けられた、スリット状開口２ｏｐに沿って延在する線状の溝部が採用されてもよい。これと同様に、例えば、第２線状貫通孔２ｆ２の代わりに、第２側壁部２ｂ２の収容空間２ｓｐとは逆側の第２外壁面に設けられた、スリット状開口２ｏｐに沿って延在する線状の溝部が採用されてもよい。
【００７１】
＜２−３．第３変形例＞
上記第２変形例では、プロテクタ２Ｂに対して、１本のコルゲートチューブ４が取り付けられ、該１本のコルゲートチューブ４が１つの挟持部材２ｓｗによって固定される例を挙げて説明したが、これに限られない。例えば、プロテクタ２Ｂに対して、２本以上のコルゲートチューブ４が取り付けられ、該２本以上のコルゲートチューブ４が２つ以上の挟持部材２ｓｗによって固定されてもよい。
【００７２】
図１２は、第３変形例に係るワイヤーハーネス１Ｃ及びプロテクタ２Ｃを例示する概略斜視図である。図１３は、第３変形例に係るワイヤーハーネス１Ｃ及びプロテクタ２Ｃを例示する概略正面図である。ワイヤーハーネス１Ｃは、上記第２変形例に係るワイヤーハーネス１Ｂをベースにして、１本のコルゲートチューブ４が追加され、上記第２変形例に係るプロテクタ２Ｂが、２つの挟持部材２ｓｗの追加によってプロテクタ２Ｃに変更されたものである。ここでは、例えば、電線群３において、幹線３ｍから２つの枝線３ｂ（具体的には、第１枝線３ｂ１及び第２枝線３ｂ２）が枝分かれされているものとする。
【００７３】
図１２及び図１３の例では、２本のコルゲートチューブ４が、プロテクタ２Ｃに取り付けられている。２本のコルゲートチューブ４には、例えば、第１枝線３ｂ１の周囲を被覆する第１管状部材としての第１コルゲートチューブ４１と、第２枝線３ｂ２の周囲を被覆する第２管状部材としての第２コルゲートチューブ４２とが含まれる。また、一対の側壁部２ｂが、３つの挟持部材２ｓｗによって挟持されている。３つの挟持部材２ｓｗには、例えば、第１コルゲートチューブ４１に近接した状態で一対の側壁部２ｂを挟持する第１挟持部材２ｓｗ１、並びにスリット状開口２ｏｐの延在方向（ここでは、−Ｘ方向）において第２コルゲートチューブ４２を両側から挟むように近接した状態で一対の側壁部２ｂをそれぞれ挟持する第２挟持部材２ｓｗ２及び第３挟持部材２ｓｗ３が含まれる。
【００７４】
このように、第２コルゲートチューブ４２を挟むように配置された２つの挟持部材２ｓｗによって一対の側壁部２ｂがそれぞれ挟持されれば、第２コルゲートチューブ４２の配設位置が安定して固定され得る。
【００７５】
＜２−４．第４変形例＞
例えば、上記第２変形例及び上記第３変形例に係る挟持部材２ｓｗに、一対の側壁部２ｂから離間する方向に延在する延在部Ｆ１が追加されてもよい。これにより、例えば、延在部Ｆ１にコルゲートチューブ４を沿わせた状態で、延在部Ｆ１に固定される固定用の部材（固定用部材とも言う）Ｗｒ１がコルゲートチューブ４に巻き付けられることで、コルゲートチューブ４が強固に固定され得る。その結果、電線が分岐する位置が強固に固定され得る。
【００７６】
図１４は、第４変形例に係るワイヤーハーネス１Ｄ及びプロテクタ２Ｄを例示する概略正面図である。図１５は、第４変形例に係る挟持部材２ｓｗＤを例示する概略斜視図である。ワイヤーハーネス１Ｄは、上記第３変形例に係るワイヤーハーネス１Ｃをベースにして、第３変形例に係るプロテクタ２Ｃが、その一部の挟持部材２ｓｗが延在部Ｆ１を有する挟持部材２ｓｗＤに置換されたプロテクタ２Ｄに変更されたものである。
【００７７】
図１４及び図１５の例では、一対の側壁部２ｂによって挟持されたコルゲートチューブ４が、挟持部材２ｓｗＤに設けられた延在部Ｆ１に沿って配されている。そして、固定用部材Ｗｒ１が、延在部Ｆ１に固定され且つコルゲートチューブ４の外周部に巻かれていることで、延在部Ｆ１にコルゲートチューブ４が固定され得る。これにより、例えば、挟持部材２ｓｗＤから延在している延在部Ｆ１にコルゲートチューブ４が固定されることで、コルゲートチューブ４が強固に固定され得る。すなわち、電線が分岐する位置が強固に固定され得る。
【００７８】
ここで、延在部Ｆ１は、例えば、１以上の板状の部分によって構成され得る。挟持部材２ｓｗＤにおいて、延在部Ｆ１は、例えば、連結部Ｃｎ１に対して立設され且つ連結部Ｃｎ１から離れる方向に延在するように形成されている。そして、例えば、延在部Ｆ１における該延在部Ｆ１の延在方向（ここでは、−Ｙ方向）に垂直な断面（ここでは、ＸＺ面に平行な断面）が、Ｌ字状であれば、延在部Ｆ１に沿って、コルゲートチューブ４を配することが容易である。また、固定用部材Ｗｒ１としては、例えば、片面に粘着力を有するテープ、タイバンド及びベルト等と言った帯状或いは線状の部材等が採用され得る。
【００７９】
図１４の例では、第１コルゲートチューブ４１に対して、第１延在部Ｆ１１が設けられ、第２コルゲートチューブ４２に対して、第２延在部Ｆ１２が設けられている。具体的には、挟持部材２ｓｗＤには、例えば、第１コルゲートチューブ４１に近接して一対の側壁部２ｂを挟持し且つ第１延在部Ｆ１１が設けられた第１挟持部材２ｓｗＤ１、及び第２コルゲートチューブ４２に近接して一対の側壁部２ｂを挟持し且つ第２延在部Ｆ１２が設けられた第３挟持部材２ｓｗＤ３が含まれている。そして、固定用部材Ｗｒ１には、例えば、第１延在部Ｆ１１に固定され且つ第１コルゲートチューブ４１の外周部に巻かれている第１固定用部材Ｗｒ１１、及び第２延在部Ｆ１２に固定され且つ第２コルゲートチューブ４２の外周部に巻かれている第２固定用部材Ｗｒ１２が含まれている。
【００８０】
なお、延在部Ｆ１の延在方向（ここでは、−Ｙ方向）に垂直な断面（ここでは、ＸＺ面に平行な断面）が、Ｌ字状でなく、例えば、直線状等のその他の形状を有していてもよい。このような構成であっても、例えば、挟持部材２ｓｗから延在している延在部Ｆ１にコルゲートチューブ４が固定されることで、コルゲートチューブ４が強固に固定され得る。
【００８１】
＜２−５．第５変形例＞
例えば、上記第３変形例及び上記４変形例に係るワイヤーハーネス１Ｃ，１Ｄでは、一対の側壁部２ｂによって、２以上のコルゲートチューブ４が挟持され、これらの２以上のコルゲートチューブ４のそれぞれに対して、挟持部材２ｓｗ，２ｓｗＤが設けられたが、これに限られない。例えば、一対の側壁部２ｂの間の奥壁部２ａに対向するスリット状開口２ｏｐのうちの、第１枝線３ｂ１の周囲を覆っている第１コルゲートチューブ４１と、第２枝線３ｂ２の周囲を覆っている第２コルゲートチューブ４２との間の部分が、１以上の挟持部材２ｓｗに含まれる閉塞部分によって塞がれていてもよい。このような構成が採用されれば、例えば、プロテクタのスリット状開口２ｏｐのうちの２つのコルゲートチューブ４１，４２の間の部分が塞がれることで、例えば、コルゲートチューブ４１，４２の間隔が固定され得る。また、例えば、プロテクタ内に配される電線群３が覆われるため、ワイヤーハーネス１Ｅの見栄えが良くなる。
【００８２】
図１６は、第５変形例に係るワイヤーハーネス１Ｅ及びプロテクタ２Ｅを例示する概略正面図である。図１７は、第５変形例に係るワイヤーハーネス１Ｅ及びプロテクタ２Ｅを例示する概略上面図である。ここでは、例えば、幹線３ｍから枝分かれしている１以上の枝線３ｂに、第１〜３枝線３ｂ１〜３ｂ３が含まれている。第１枝線３ｂ１の周囲が第１コルゲートチューブ４１によって覆われ、第２枝線３ｂ２の周囲が第２コルゲートチューブ４２によって覆われ、第３枝線３ｂ３の周囲が第３管状部材としての第３コルゲートチューブ４３によって覆われている。そして、例えば、第３コルゲートチューブ４３も、第１及び第２コルゲートチューブ４１，４２と同様に、一対の側壁部２ｂによって挟持され、挟持部材２ｓｗに設けられた延在部Ｆ１に沿って配され、固定用部材Ｗｒ１が、延在部Ｆ１に固定され且つ第３コルゲートチューブ４３の外周部に巻かれている。
【００８３】
図１６及び図１７の例では、スリット状開口２ｏｐのうち、第１コルゲートチューブ４１と第２コルゲートチューブ４２との間の部分が、４つの挟持部材２ｓｗ，２ｓｗＤによって塞がれている。ここでは、４つの挟持部材２ｓｗ，２ｓｗＤの連結部Ｃｎ１が閉塞部分としての役割を果たしている。また、スリット状開口２ｏｐのうち、第２コルゲートチューブ４２と第３コルゲートチューブ４３との間の部分が、７つの挟持部材２ｓｗ，２ｓｗＤによって塞がれている。ここでは、７つの挟持部材２ｓｗ，２ｓｗＤの連結部Ｃｎ１が閉塞部分としての役割を果たしている。さらに、スリット状開口２ｏｐのうち、第３コルゲートチューブ４３の第２コルゲートチューブ４２とは反対側の部分が、２つの挟持部材２ｓｗ，２ｓｗＤによって塞がれている。ここでは、２つの挟持部材２ｓｗ，２ｓｗＤの連結部Ｃｎ１が閉塞部分としての役割を果たしている。なお、例えば、挟持部材２ｓｗ，２ｓｗＤが、閉塞部分としての役割を果たす部分を一体的或いは取り付け可能に有する構成が採用されてもよい。閉塞部分としての役割を果たす部分としては、例えば、板状の部分等が採用され得る。
【００８４】
＜２−６．第６変形例＞
上記第２〜５変形例に係る挟持部材２ｓｗ，２ｓｗＤのそれぞれが、樹脂の一体成型等によって一体的に構成される例を挙げて説明したが、これに限られない。例えば、挟持部材２ｓｗ，２ｓｗＤのうちの少なくとも連結部Ｃｎ１が、分割されているか、又は分割可能であってもよい。このとき、例えば、分割された連結部Ｃｎ１が、金属製のバネ等の弾性力を生じる他の部材を用いて連結されてもよい。
【００８５】
図１８及び図１９は、第６変形例に係る挟持部材２ｓｗＦの概略側面図である。図１８及び図１９の挟持部材２ｓｗＦは、上記第２〜５変形例に係る挟持部材２ｓｗのうち、連結部Ｃｎ１が、２つの部分Ｃｎ１１，Ｃｎ１２に分割され、該２つの部分Ｃｎ１１，Ｃｎ１２が回動可能なバネ２ｒｈによって連結された連結部Ｃｎ１Ｆに変更されたものである。このような構成でも、図１８及び図１９で示されるように、連結部Ｃｎ１Ａが、例えば、弾性変形を生じるため、挟持部材２ｓｗＦを一対の側壁部２ｂの外側に容易に取り付けることができ、連結部Ｃｎ１Ａの弾性力によって、一対の側壁部２ｂが挟持され得る。
【００８６】
また、挟持部材２ｓｗ，２ｓｗＤは、例えば、連結部Ｃｎ１が２以上の部分に分割されており、２以上の部分が、嵌合あるいは螺合等によって連結されるものであってもよい。また、挟持部材２ｓｗ，２ｓｗＤは、例えば、樹脂以外の金属等の弾性変形が可能な素材によって構成される１以上の部材によって構成されてもよい。
【００８７】
＜２−７．第７変形例＞
上記一実施形態及び第１〜６変形例では、一対の側壁部２ｂによって、コルゲートチューブ４が直接挟持されたが、これに限られない。例えば、一対の側壁部２ｂによって、奥壁部２ａから離間した位置で、他の部材を介して、コルゲートチューブ４が挟持されてもよい。そして、このとき、一対の側壁部２ｂの少なくとも一方の側壁部２ｂが、コルゲートチューブ４を、他の部材を介して、奥壁部２ａの延在方向に沿って摺動可能に支持してもよい。ここでは、一対の側壁部２ｂの少なくとも一方の側壁部２ｂが、支持部２ｒによって、コルゲートチューブ４を、他の部材を介して、奥壁部２ａの延在方向に沿って摺動可能に支持してもよい。このような構成が採用されれば、例えば、スリット状開口２ｏｐの幅Ｗ１が、コルゲートチューブ４の径Ｄ１よりも大きな場合であっても、一対の側壁部２ｂの間に他の部材を介してコルゲートチューブ４が挟持され得る。これにより、コルゲートチューブ４の一対の側壁部２ｂに対する摺動及び任意の位置での固定が可能となる。
【００８８】
図２０は、第７変形例に係るワイヤーハーネス１Ｇ及びプロテクタ２Ｇを例示する概略正面図である。図２１は、図２０のXXI−XXI線に沿って切断したワイヤーハーネス１Ｇの概略断面図である。図２２は、第７変形例に係る他の部材としての保持部材５の概略正面図である。図２３は、保持部材５の正面から見た分解図である。図２４は、保持部材５の側面から見た分解図である。ワイヤーハーネス１Ｇは、上記第１変形例に係るワイヤーハーネス１Ａをベースとして、プロテクタ２Ａが、コルゲートチューブ４を保持する部材（保持部材とも言う）５を介してコルゲートチューブ４が一対の側壁部２ｂに挟持されるプロテクタ２Ｇに変更されたものである。
【００８９】
保持部材５は、例えば、半筒状の第１部分５ｂ１と、半筒状の第２部分５ｂ２とを有している。第１部分５ｂ１及び第２部分５ｂ２は、それぞれ一方向（ここでは、＋Ｙ方向）に貫通する溝部５ｇを有している。具体的には、第１部分５ｂ１は、下方（ここでは、−Ｚ方向）に向いた第１溝部５ｇ１を有しており、第２部分５ｂ２は、上方（ここでは、＋Ｚ方向）に向いた第２溝部５ｇ２を有している。そして、第１部分５ｂ１と第２部分５ｂ２とが組み合わされた状態で、第１溝部５ｇ１と第２溝部５ｇ２とによって、＋Ｙ方向に貫通する貫通孔５ｔｈが形成され得る。ここで、第１溝部５ｇ１及び第２溝部５ｇ２には、コルゲートチューブ４の山部４ｐと谷部４ｒのピッチに対応する凹凸構造が形成されており、コルゲートチューブ４を挟んで第１部分５ｂ１と第２部分５ｂ２とが組み合わされることで、コルゲートチューブ４の外周部の凹凸構造に、貫通孔５ｔｈの内周面の凹凸構造が嵌合され得る。これにより、保持部材５の貫通孔５ｔｈにコルゲートチューブ４が保持され得る。なお、保持部材５では、例えば、貫通孔５ｔｈの代わりに、コルゲートチューブ４が保持される＋Ｙ方向に凹んだ凹部が採用されてもよい。
【００９０】
また、第１部分５ｂ１は、第１溝部５ｇ１とは逆側（＋Ｚ側）の面に−Ｘ方向に延びる山部５ｐと谷部５ｒとが交互に形成された凹凸構造５ｕ１を有している。第２部分５ｂ２は、第２溝部５ｇ２とは逆側（−Ｚ側）の面に−Ｘ方向に延びる山部５ｐと谷部５ｒとが交互に形成された凹凸構造５ｕ２を有している。そして、例えば、コルゲートチューブ４を保持した保持部材５が、一対の側壁部２ｂによって挟持されることで、第１側壁部２ｂ１の第１支持部２ｒ１におけるレール状の線状突起部２ｐｒが、凹凸構造５ｕ１の谷部５ｒに嵌合し、第２側壁部２ｂ２の第２支持部２ｒ２におけるレール状の線状突起部２ｐｒが、凹凸構造５ｕ２の谷部５ｒに嵌合し得る。これにより、支持部２ｒによって、コルゲートチューブ４が、保持部材５を介して、奥壁部２ａの延在方向（ここでは、−Ｘ方向）に沿って摺動可能に支持され得る。
【００９１】
このような構成が採用されれば、例えば、保持部材５の凹凸構造５ｕ１，５ｕ２と第１支持部２ｒ１及び第２支持部２ｒ２との間で、相互に嵌合している領域が大きくなり得る。その結果、プロテクタ２Ｇに対してコルゲートチューブ４が強固に固定され得る。
【００９２】
＜２−８．その他の変形例＞
上記一実施形態及び第１〜７変形例では、プロテクタ２，２Ａ〜２Ｅ，２Ｇが、板状の奥壁部２ａの両端に板状の一対の側壁部２ｂが略垂直に立設されていたが、これに限られない。例えば、奥壁部２ａが、湾曲した板状の部分であってもよいし、奥壁部２ａから一対の側壁部２ｂにかけて連続的に湾曲して接続された構成が採用されてもよい。つまり、例えば、プロテクタ２，２Ａ〜２Ｅ，２Ｇは、延在方向に沿ってスリット状開口２ｏｐを有し、該延在方向に直交する断面がＵ字状のものであればよい。
【００９３】
以上のように、この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００９４】
１，１Ａ〜１Ｅ，１Ｇ  ワイヤーハーネス
２，２Ａ〜２Ｅ，２Ｇ  プロテクタ
２ａ  奥壁部
２ｂ  側壁部
２ｂ１，２ｂ２  第１，２側壁部
２ｆ  線状貫通孔
２ｍ  幹線
２ｏｐ  スリット状開口
２ｐｒ  線状突起部
２ｒ  支持部
２ｓｐ  収容空間
２ｓｔ  ストッパ部
２ｓｗ  挟持部材
３  電線群
３ｂ  枝線
３ｂ１〜３ｂ３  第１〜３枝線
３ｍ  幹線
４  コルゲートチューブ
４ｐ  山部
４ｒ  谷部
４１〜４３  第１〜３コルゲートチューブ
４ｓ  空間
５  保持部材
５ｐ  山部
５ｒ  谷部
５ｔｈ  貫通孔
Ｃｎ１，Ｃｎ１Ａ，Ｃｎ１Ｆ  連結部
Ｆ１  延在部
Ｆ１１  第１，２延在部
Ｐｒ１，Ｐｒ２  第１，２挟持部
Ｗｒ１  固定用部材
【図１】
2017195660.tif 000003
【図２】
2017195660.tif 000004
【図３】
2017195660.tif 000005
【図４】
2017195660.tif 000006
【図５】
2017195660.tif 000007
【図６】
2017195660.tif 000008
【図７】
2017195660.tif 000009
【図８】
2017195660.tif 000010
【図９】
2017195660.tif 000011
【図１０】
2017195660.tif 000012
【図１１】
2017195660.tif 000013
【図１２】
2017195660.tif 000014
【図１３】
2017195660.tif 000015
【図１４】
2017195660.tif 000016
【図１５】
2017195660.tif 000017
【図１６】
2017195660.tif 000018
【図１７】
2017195660.tif 000019
【図１８】
2017195660.tif 000020
【図１９】
2017195660.tif 000021
【図２０】
2017195660.tif 000022
【図２１】
2017195660.tif 000023
【図２２】
2017195660.tif 000024
【図２３】
2017195660.tif 000025
【図２４】
2017195660.tif 000026